(57)【要約】      （修正有）【課題】人工餌の色は、対象魚の攻撃性を強く誘発し、対象魚を誘引するのに効果的であるため、水深に応じた温度または太陽光線の透過量に感応して変色する人工餌の提供。【解決手段】複数の既設定された温度区間を有し、各々の温度区間に相当する既設定された色を示すマイクロカプセルを含み、温度や太陽光線によって変色する人工餌である。季節や水深に関係なく、一つの人工餌を使用するものであり、ユーザーの便宜性も向上する。【選択図】図２
2014008064.tif 000002
【特許請求の範囲】
【請求項１】
複数の既設定された温度区間を有し、各々の温度区間に相応する既設定された色を示すマイクロカプセルを含み、スズキ目魚類の釣りに使用されることを特徴とする、マルチカラー人工餌。
【請求項２】
上記のスズキ目魚類が、スズキ目科(Percichthyidae)、ハタ科(Serranidae)、イシナギ科(Polyprionidae)、ノトテニア科(Nototheniidae)、モロネ科(Moronidae)及びサンフィッシュ科(Centrarchidae)を含む群から選択される科に含まれる魚種のうちいずれか一つであることを特徴とする、請求項１に記載のマルチカラー人工餌。
【請求項３】
上記のスズキ目魚類が、オーストラリアバス(Macquaria novemaculeata)、黒海バス(Centropristis striata)、イシナギ(Stereolepis gigas)、マジェランアイナメ(Dissostichus eleginoides)、ヨーロピアンシーバス(Dicentrarchus labrax）、オオクチバス(Micropterus salmoides )、コクチバス(Micropterus dolomieui)、ストライプバス(Morone saxatilis)とスポッテドブラックバス(Micropterus punctulatus）を含む群から選択されるいずれか一つであることを特徴とする、請求項１に記載のマルチカラー人工餌。
【請求項４】
前記マイクロカプセルが、感温及び感光のうち、いずれか一つ以上であること特徴とする、請求項１〜３のいずれかに記載のマルチカラー人工餌。
【請求項５】
前記複数の既設定された温度区間が、水深に応じた水温及び太陽光線の透過量のうち、少なくともいずれか一つ以上によって決定されることを特徴とする、請求項１〜３のいずれかに記載のマルチカラー人工餌。
【請求項６】
前記マイクロカプセルが、澄んだ水の場合では12m以下、通常の水の場合では4.5m以下、曇った水の場合では0.5m以下の範囲内で前記のスズキ目魚類によって認識されることを特徴とする、請求項１に記載のマルチカラー人工餌。
【請求項７】
前記複数の既設定された温度区間が、水深に応じた4つの区間を含み、上記4つの区間が、水面から2mの間隔を有する第1区間、第2区間、第3区間及び第4区間であることを特徴とする、請求項６に記載のマルチカラー人工餌。
【請求項８】
上記第1区間において、前記マルチカラー人工餌が、白、青及び紫を含む群から選択された少なくとも一つ以上の色を示すことを特徴とする、請求項７に記載のマルチカラー人工餌。
【請求項９】
前記第2の区間において、前記マルチカラー人工餌が、緑系統の色を示すことを特徴とする、請求項７に記載のマルチカラー人工餌。
【請求項１０】
前記第3区間において、前記マルチカラー人工餌が、金系統の色及びピンク系統の色のうち少なくともいずれか一つを示すことを特徴とする、請求項７に記載のマルチカラー人工餌。
【請求項１１】
前記第4区間において、前記マルチカラー人工餌が、赤系統の色を示すことを特徴とする、請求項７に記載のマルチカラー人工餌。
【請求項１２】
前記マイクロカプセルが、総重量比0.1〜5％であることを特徴とする、請求項１〜３にいずれかに記載のマルチカラー人工餌。
【発明の詳細な説明】
【技術分野】
【０００１】
本発明は、マルチカラー人工餌に関するもので、より詳細には、水深に応じた温度又は太陽光線の透過量に感応して色が変化する人工餌の発明に関するものである。
【背景技術】
【０００２】
漁類を釣る場合、一般的にはサバやイワシ、イカなどの魚類を餌として使用する。このように魚類を餌として使用する場合には、餌が腐敗しないように冷凍保管する必要があるため冷凍設備備えていなければならず、また、冷凍された餌を解凍するための解凍設備も必要とされる。それだけでなく、このような冷凍設備と解凍設備を作動させるために、さらに燃料が消耗されるため、燃料の消費量も多くなる。
【０００３】
さらに、餌として魚を使用する場合には、魚が短時間で腐敗しやすく、一度使用した餌は、その後再利用することが難しい。したがって、一度使用された餌は廃棄され、新しい餌を使用しなければならない。よって、餌の使用量が増加し、網を引くたびに餌を新しいものと交換しなければならない煩わしさがあるだけでなく、相対的に操業時間が短くなるので、漁獲量も減少する。
【０００４】
一方、これらの問題を解決するために様々な人工餌が提供されている。
【０００５】
より詳細には、人工餌は釣り針に連結され、対象魚の餌と類似した形と動きで対象魚を誘引する。通常人工餌には、プラグルアー、ワームなどがあり、一般的に対象魚を効果的に誘引するのは、人工餌の外形と色合いであることが知られている。
【０００６】
また、人工餌は魚介類を効果的に誘引するために、水中で少しずつ持続的に離脱していくタイプもあるが、従来の人工餌は、水中で比較的短時間で分解したり、又は大きな塊で離脱していくため、魚介類を誘い込む誘引性が低いという欠点がある。
【０００７】
本発明に関連する従来技術によると、魚の模型であるプラグルアーのような人工餌(1)は表面が魚の実際の色と形を有するようにして、対象魚の攻撃性を誘発する。特に、人工餌の色は、対象魚の攻撃性を強く誘発し、対象魚を誘引するのに効果的であるため、製造業者らは人工餌の色に多くの関心を持つ。
【０００８】
また、従来の技術による多様な色を有する人工餌の製造方法を調べてみると、一例として、それぞれ固有の色を有する2種類以上の金属、酸化物、または金属間化合物をクラッデイング(cladding)して制作するものと同じ方法を使用する。ただし、このような方法は、製造コストが上昇し、具現化できる色が限られているという問題がある。
【発明の概要】
【発明が解決しようとする課題】
【０００９】
本発明は、上記のような問題点を解決するために考案された。より具体的には水深に応じた温度又は太陽光線の透過量によって変色するマルチカラー人工餌を提供しようとする。
【００１０】
また、反応する区間及び色が複数個のマルチカラー人工餌を提供する。
【課題を解決するための手段】
【００１１】
本発明は、上記のような課題を解決するために、複数の既設定された温度区間を有し、各々の温度区間に相応する既設定された色を示すマイクロカプセルを含み、スズキ目魚類の釣りに使用されることを特徴とするマルチカラー人工餌を提供する。
【００１２】
また、上記のスズキ目魚類はスズキ目科(Percichthyidae)、ハタ科(Serranidae)、イシナギ科(Polyprionidae)、ノトテニア科(Nototheniidae)、モロネ科(Moronidae)及びサンフィッシュ科(Centrarchidae)を含む群から選択されるいずれか一つであることが好ましい。
【００１３】
また、上記のスズキ目魚類は、オーストラリアバス(Macquaria novemaculeata)、黒海バス(Centropristis striata)、イシナギ(Stereolepis gigas)、マジェランアイナメ(Dissostichus eleginoides)、ヨーロピアンシーバス(Dicentrarchus labrax）、オオクチバス(Micropterus salmoides )、コクチバス(Micropterus dolomieui)、ストライプバス(Morone saxatilis)とスポッテドブラックバス(Micropterus punctulatus)を含む群から選択されるいずれか一つであることが好ましい。
【００１４】
また、前記マイクロカプセルは、感温または感光のうち、いずれか一つ以上であることが好ましい。
【００１５】
また、前記複数の既設定された温度区間は、水深に応じた温度及び太陽光線の透過量のうち少なくともいずれか一つによって決定されることが好ましい。
【００１６】
また、前記複数の既設定された温度区間は、水深に応じた4つの区間を含むことが好ましい。
【００１７】
また、上記の4つの区間は、水面から2mの間隔を有する第1区間、第2区間、第3区間及び第4区間であることが好ましい。
【００１８】
また、上記第1の区間において、前記マルチカラー人工餌は白、青及び紫を含む群から選択された少なくとも一つ以上の色を示すことが好ましい。
【００１９】
また、前記第2の区間において、前記マルチカラー人工餌は緑系統の色を示すことが好ましい。
【００２０】
また、前記第3区間において、前記のマルチカラー人工餌は、金系統の色やピンク系統の色のうちの少なくともいずれか一つを示すことが好ましい。
【００２１】
また、前記第4区間において、前記のマルチカラー人工餌は赤系統の色を示すことが好ましい。
【００２２】
また、前記マイクロカプセルは、総重量に対して0.1〜5％であることが好ましい。
【発明の効果】
【００２３】
本発明の一実施例によれば、水深に応じた温度又は太陽光線の透過量に応じて色が変わる人工餌を提供するが、一つの人工餌で該当魚種の効果的な誘引が可能である。
【００２４】
また、人工餌の全体的な色が変化するものであるため、誘引効果がより向上する。
【００２５】
また、水深又は透過する太陽光線に応じて、該当水深で該当魚類を誘引するのに最も効果的な色を示し、それに伴い効果的な釣果を上げることができる。
【００２６】
また、季節や水深に関係なく、一つの人工餌を使用するが、ユーザーの便宜性も向上する。
【図面の簡単な説明】
【００２７】
【図１】従来の人工餌の斜視図である。
【図２】本発明の一実施例による人工餌の色の変化を示すものである。
【図３】水の濁度に応じたヒトとバスの視覚能力を比較したグラフである。
【図４】光の透過の程度に応じて、水中の植物や植物性プランクトンの生長が決定されることを説明するための概略図である。
【図５】バスと水温の関係を示すグラフである。
【図６】水深に応じて透過した太陽光線の色相図である。
【発明を実施するための形態】
【００２８】
図2〜6を参照して、本発明の実施例によるマルチカラー人工餌について説明する。
【００２９】
本発明で使用される 「澄んだ水」という用語は、明細書全体を通して水の酸性、中性、アルカリ性を表す水素イオン濃度(pH)が7.0〜7.5(基準：5.8〜8.5)、水の混濁の程度を表す濁度が0.05〜0.15 NTU(基準：0.5 NTU以下)、その他の審美的影響物質である蒸発残留物、硬度などもすべて基準値以内の水であると定義する。
【００３０】
また、本発明で使用される 「泥水」という用語は、明細書全体を通して水の酸性、中性、アルカリ性を示す水素イオン濃度（pH）が5.5未満であるか、または9.0を超える場合であって、1時間以上持続する場合には、水の混濁した程度を示す濁度が1 NTU(Nephelometric Turbidity Unit)を超えて24時間以上持続する場合や、5 NTUを超える場合の水であると定義する。
【００３１】
一方、本発明の実施例による人工餌は、どのような魚種にも使用できるが、スズキ目に使用されることが好ましい。
【００３２】
また、上記のスズキ目魚類はスズキ目科(Percichthyidae)、ハタ科(Serranidae)、イシナギ科(Polyprionidae)、ノトテニア科(Nototheniidae)、モロネ科(Moronidae)及びサンフィッシュ科(Centrarchidae)を含む群から選択されるいずれか一つであってもよく、これに限定されるものではない。
【００３３】
また、上記のスズキ目魚類は、オーストラリアバス(Macquaria novemaculeata)、黒海バス(Centropristis striata)、イシナギ(Stereolepis gigas)、マジェランアイナメ(Dissostichus eleginoides)、ヨーロピアンシーバス(Dicentrarchus labrax）、オオクチバス(Micropterus salmoides )、コクチバス(Micropterus dolomieui)、ストライプバス(Morone saxatilis)とスポッテドブラックバス(Micropterus punctulatus)を含む群から選択されるいずれか一つであってもよく、これに限定されないことは言うまでもない。本明細書では、一般的に前述したような魚種が含まれ、スズキ目に属する釣り魚の一種として知られている 「バス」に適したマルチカラー人工餌について説明する。
【００３４】
バスは、水流がない湖や河川でエビの種類や小魚を捕食し、オスは巣を作ってメスを誘引して卵を産ませ、産卵後は巣を保護する特徴がある。
【００３５】
また、バスは、頭と胴体は横に平たく、全身は長く両端が尖っている。頭が大きく、目は比較的小さく、くちばしは長く、その先端が尖っている。また、口は大きく下あごが上あごより前に突き出ており、二つの背びれを持ち、尾びれの先端の中央部分は内側に窪んでおり、胴体の側面中央部分には、青褐色の長い縞模様があるのが特徴である。
【００３６】
上記バスの目は頭の上にあり、前方に向かって位置しているので、視野が360度に及ぶ。感覚器官としては、桿状細胞と錐体細胞があり、桿状細胞は明暗を区別し、錐体細胞は色を区別する感覚器官である。
【００３７】
桿状細胞は、淡い青及び緑の光に敏感に反応し、桿状細胞の発達により夜間の視覚が良好なので、非常に暗い夜間でも摂餌活動が可能である。上記バスの視力は、水の濁度によって制限され、水深に応じて異なることもある。非常に澄んだ水中では約30m先方まで見ることができる。バスは、可能な時には常に視覚を利用して、危険であるか否かを区別して餌を探す習性を持つ。他の感覚は、さらに別の情報を集めたり、警報を発したり、視覚が制限された時に、これを補う目的で使用する。 2組の錐体細胞は赤、オレンジ及び緑の波長に最も敏感に反応し、バスは昼間、明け方、日没時などに様々な色を感知することができる。
【００３８】
バスは、赤、オレンジ及び緑における非常に微妙な違いも区別することができるものと思われ、濃い青、明るい黄色もある程度区別できることは確かである。したがって、色を弁別できる能力があることは明らかであり、色に対する刺激を多様な形で認識する。
【００３９】
本発明の一実施例によるマルチカラー人工餌は、複数の既設定された温度区間を有し、各々の温度区間に相当する既設定された色を示すマイクロカプセルを含んでいる。
【００４０】
上記マイクロカプセルは、人工餌が既設定された温度区間に対して既設定された色を示すようにする物質として、本発明の一実施例によれば、感温又は感光マイクロカプセルのうち、いずれか一つを含む混合物であることができる。
【００４１】
上記感温マイクロカプセル又は感光マイクロカプセルは、直接製造したり、商業的販売先から得ることもできる。代表的な物としてはポリクローム(Polychrom)社の感温マイクロカプセルと感光マイクロカプセルがある。
【００４２】
上記マイクロカプセルを含むマルチカラー人工餌は、水深に応じた水温又は太陽光線の透過量に感応して色が変わる。
【００４３】
前記マイクロカプセルは、既設定された色を示すための適切な重さでなければならず、本発明の一例として、総重量に対して0.1〜5％であることができる。
【００４４】
また、マルチカラー人工餌は、水深に応じた水温又は水深に応じた太陽光線の透過量に応じて色が変わる如何なる形態であってもよく、本発明の一例として、ストレート型または魚の形であってもよい。
【００４５】
また、前記複数の既設定された温度区間は、水深に応じた温度及び太陽の光の透過量のうち、少なくともいずれか一つよって決定される。
【００４６】
より詳細には、図4はバスと水温の関係を示した図であり、水温の温度範囲(T1〜T7)に応じたバスの関係は次のとおりである。
【００４７】
T1：表層の溶存酸素濃度が減少することになる。バスの活動はほとんど停止し頻繁に生息地を離れてサスペンド(Suspending)する。可能ならば、バスは湧き水のある場所、風がよく吹きこむ海岸地域、水中の路地(alley)などを探し回ると思われ、摂餌活動は主に夜間に行うようになる。
T2：ポストスポーン(産卵直後 (Post-spawn))、深い水深層がバス釣りの主な攻略ポイントである。水温が持続して上昇し、バスにとって最適な24〜25℃になると、バスは、湖の各々の場所にそれぞれ分散する。
T3：スポーン(本産卵(Spawn))
T4：プリスポーン(産卵前(Pre-spawn))、寒冷前線(Cold fronts)が近づいた時を除いては、中間水深層や浅い沿岸までバスが接近するようになり産卵に適切な場所を探す。T5：暖かい天候が数日間続いて水温が1〜2℃程度上昇すると、釣りに非常に良い条件となる。
T6：暖気が漂うようになり、バスはまだ非常に無気力な状態を維持している。
T7：氷結状態
【００４８】
即ち、一般的に澄んだ水(clear)、着色水(sreained)、泥水(muddy)に分けられ、着色水は、通常緑がかった水のことを言い、韓国のほとんどの貯水池の水の色は、着色水に属する。
【００４９】
そのような水に太陽光線が通過しながら、徐々に通過する光の量が減少するが、波長の短い色(紫、青)から消滅して、波長が長い色(赤)が最も深いところまで透過する。
【００５０】
したがって、濁度と水深によって見えなくなる色が出てくる可能性がある。
【００５１】
バスは変温動物であるため水温に変化が生じると、変化した水温に自らの体温を合わせるための生理的な試練を経験するようになる。水温が徐々に上昇した場合、バスは活発な動きを取り戻し旺盛な摂餌活動をするが、逆に水温が下降した場合には、バスの動きは最小限に変化する。バスは自らに合った適温を求めて移動し、餌の摂取を積極的に行うことができる適当な水温層に従って絶えず移動するようになる。
【００５２】
一方、図5は、光の透過度に応じた水中植物と植物性プランクトンの生長関係を示したものである。図示されたように太陽光線の透過率に応じて水中の植物(水草)と植物性プランクトンの生長が決定されるが、日光によって水温が上昇すると、窒素、リンなどの栄養塩が増加(汚水、廃水流入)して植物性プランクトンである緑藻が正常に増殖し、湖沼の表面が覆われるようになる。そうすると日光が遮断され、水中のDO(溶存酸素量)が減少し水中生物が死滅することにより水が汚染され濁ってしまう。
【００５３】
また、上記水深に応じた温度及び前記太陽光線の透過量によって水温が決定される。つまり、最終的には水温によって前記複数の温度区間が決定され得る。
また、前記複数の既設定された温度区間は、ユーザーの意図ないし目的に応じて任意に定めることができ、一例として、水深に応じた4つの区間を含むことができる。発明の一例によれば、上記の4つの区間は、水面から2mの間隔を有する第1区間、第2区間、第3区間と第4区間に分けられる。
【００５４】
ここで、技術的に、区間とは、水中の何らかの特性が急激に変化する場所を意味する。さまざまな深さの水温をグラフに示すと、水温が急激に変化する場所は、斜線で表される。このように水温が急激に変化する場所を水温躍層(区間)と呼ばれるが、暖かくなった水は冷たい水より軽く、強制的に流されていかない限り(排水や降水などの理由で)冷たい深いところの水と混ざらない深さに水温躍層(区間)が形成される。
水深が浅い貯水池の場合、水面から底まで熱が吸収されるので、1m〜2mの深さから水温躍層(区間)が形成される。太陽光線がより深く透過する澄んだ水の場合(5m〜10m)、水深が深くて広い大規模な貯水池の場合にはより深いところに水温躍層が形成され得る。
【００５５】
強い風が吹いたり、雨などの外部環境要因が変化すると水温躍層(区間)は破壊され、より深いところに新しい水温躍層(区間)が形成されたり、暖かく穏やかな天候が続くと、それ以前に形成された水温躍層(区間)の上に新しい水温躍層(区間)が形成されることもある。
【００５６】
貯水池の形態や大きさ、または気候変動などの様々な環境要因によって、幾つかの水温躍層(区間)が重なって形成されることもある。
【００５７】
本発明の一実施形態による人工餌は、前記4つの区間で異なる色を示すことが好ましく、より詳細には前記第1の区間において、前記マルチカラー人工餌は白、青及び紫を含む群から選ばれた少なくとも一つ以上の色を示す。前記第2の区間において、前記マルチカラー人工餌は緑系統の色を示し、前記第3区間において、前記マルチカラー人工餌は、金系統の色やピンク系統の色のうちの少なくともいずれか一つを示し、第4区間においては、前記マルチカラー人工餌は赤系統の色を示すことが好ましい。
【００５８】
水温に応じて変化する人工餌の色の変化の度合いを図2に示した。このような色の選定は、該当区間でのバスの目に最も鮮明に見える色として最も効率的な釣果を達成するためになされる。
【００５９】
また、前述したマルチカラー人工餌を製造する人工餌の製造方法は、プラスチック樹脂と感温マイクロカプセル又は感光マイクロカプセルを混合して混合物を形成し、上記混合物を射出成形する段階を含んで製作する。このように射出成形された人工餌は、ハード(hard)な材料であってもよい。
【００６０】
また、上記方法は、プラスチック樹脂と感温マイクロカプセル又は感光マイクロカプセルを混合して混合物を形成し、上記混合物を鋳造成形する段階を含んで製作する。
【００６１】
また、上述したように、水深に応じた温度又は太陽光線の透過量に応じて複数の温度区間が異なる。即ち、水深が深くなるに従って水温が低くなる傾向が一定せず、季節によっては水深が深くなるとともに、水温が高くなることもあり得るので、水深ではなく水温に反応する本発明のマルチカラー人工餌は、より効率的であると言える。
【００６２】
前記の4つの区間の形成は、貯水池、ダム、川などの使用場所の特性を考慮して決定され、それに応じて既設定された温度もまた、使用場所の特性に合わせて異なった温度を適用することができる。
【００６３】
よって、バスの生態的特性上、水温と周辺環境の変化に敏感であり、水深と水温の変化に応じて既設定された温度に反応して色が変化するマルチカラー人工餌の製造は、より効果的にバスを釣ることができる技術的な長所を有する。
【００６４】
以上の説明の内容を通して、当業者であれば本発明の技術思想を逸脱しない範囲において様々な変更及び修正が可能であることを知るであろう。したがって、本発明の技術的範囲は、明細書の詳細な説明に記載された内容に限定されるものではなく、特許請求の範囲によって決定されなければならない。
【図１】
2014008064.tif 000003
【図２】
2014008064.tif 000004
【図３】
2014008064.tif 000005
【図４】
2014008064.tif 000006
【図５】
2014008064.tif 000007
【図６】
2014008064.tif 000008